(57)【要約】      （修正有）【課題】一挙に両足底のマッサージ効果を得ることができ、特定の足つぼマッサージの効果が得られる中または低周波マッサージシューズを提供する。【解決手段】コントローラ１０およびシューズ２０が含まれ、その主要な構成はシューズ２０の内壁上、下面に複数個の導電材１が分布して設けられ、各導電材１の一端はそれぞれ導電ボタンに接続され、他端は導電シート３に接続され、前記複数個の導電ボタンは集中してシューズ面２１の選定された個所に設けられ、それはコントローラ１０にボタンかけして中または低周波励起の足つぼマッサージの効果が得られ、他にシューズ２０内につぼ位置孔のある靴シートが設けられ、導電ピンの選定挿入に合わせて特定のつぼ位置マッサージの効果が得られることが可能な中または低周波マッサージシューズである。【選択図】図２
0003100831.tif 000002
【実用新案登録請求の範囲】
【請求項１】
中または低周波マッサージシューズであって、コントローラおよびシューズを備え、
コントローラは高圧パルスを提供し、それぞれ複数個の導電ボタンに引き接がれて出力端を構成し、
シューズはその内壁の上、下面に複数個の導電材が分布して設置され、各導電材の一端はそれぞれ導電ボタンに接続し、各ボタンは集中してシューズ面の選定された個所に設けられ、それによって集中して設置された導電ボタンおよびコントローラに設けられている導電ボタンは組み合わせられて対応し、導電材の他端はそれぞれ一組の正または負極の導電シートに接続され、かつ各導電シートはそれぞれシューズの内壁の上、下面の選定された個所に設けられ、足と貼り合わせて接触し、
上記シューズのシューズ面に集中して設けられた導電ボタンを利用し、コントローラは対応してシューズ面にボタンかけすることが可能であり、かつコントローラの操作設定によって足に貼り合わせられて接触する正、負極導電シートは局部または全部が通電して中または低周波の励起マッサージの効果を達成することを特徴とする中または低周波マッサージシューズ。
【請求項２】
コントローラには複数個電流の強、弱、設定時間および電源の入、切を制御可能なコントロールキーが設けられていることを特徴とする請求項１に記載の中または低周波マッサージシューズ。
【請求項３】
コントローラには液晶ディスプレーが設けられていることを特徴とする請求項１に記載の中または低周波マッサージシューズ。
【請求項４】
コントローラには通電区域を選択制御可能な区域スイッチが設けられていることを特徴とする請求項１に記載の中または低周波マッサージシューズ。
【請求項５】
各導電シートと足つぼとは貼り合せにより接触していることを特徴とする請求項１に記載の中または低周波マッサージシューズ。
【請求項６】
コントローラには差込孔が設けられ、かつ接続導線によって別の周辺装置と導通接続を形成することを特徴とする請求項１に記載の中または低周波マッサージシューズ。
【請求項７】
選定された一つの靴には接続孔が設けられ、その接続孔は各導電材の一端の集中した引き接ぎに供されることを特徴とする請求項１に記載の中または低周波マッサージシューズ。
【請求項８】
シューズには区域スイッチが設けられていることを特徴とする請求項７に記載の中または低周波マッサージシューズ。
【請求項９】
導電材は導電布を採用していることを特徴とする請求項１に記載の中または低周波マッサージシューズ。
【請求項１０】
シューズ（２０）、（２０ａ）、（２０ｂ）のシューズ面（２１）は上、下層の絶縁材（２１１）、（２１２）を合併して構成され、かつ各導電シート（３）は上、下層の絶縁材（２１１）、（２１２）の中に挟み隠されて分布していることを特徴とする請求項１に記載の中または低周波マッサージシューズ。
【請求項１１】
各導電シート（３）の一端はボタンの半分（２ａ）、（２ｂ）を利用して貫通リベットし、完全な導電ボタン（２）を構成してシューズ面（２１）から露出していることを特徴とする請求項１に記載の中または低周波マッサージシューズ。
【請求項１２】
シューズ（２０）、（２０ａ）の靴底面は導電区域に形成され、かつ絶縁シート（７）が敷かれてあり、その絶縁シート（７）には複数個のつぼ位置孔（７１）が設けられ、それは一つまたは一つ以上の導電ピン（８）を選択してつぼ位置孔（７１）に挿入することに供されることを特徴とする請求項１に記載の中または低周波マッサージシューズ。
【請求項１３】
絶縁シート（７）はシューズ（２０）、（２０ａ）の靴底面に可動に嵌め付けられまたは固定して結合されることを特徴とする請求項１２に記載の中または低周波マッサージシューズ。
【請求項１４】
導電ピン（８）は導電材から作られ、その上端は接触部（８１）で、下端は栓柱部（８２）であることを特徴とする請求項１２に記載の中または低周波マッサージシューズ。
【請求項１５】
導電ピン（８）の接触部（８１）には引き環（８３）が枢設されていることを特徴とする請求項１４に記載の中または低周波マッサージシューズ。
【請求項１６】
導電ピン（８）の栓柱部（８２）の頭端は拡大部（８２１）であり、絶縁シート（７）のつぼ位置孔（７１）の底部には相対する縮小孔（７１１）が設けられていることを特徴とする請求項１４に記載の中または低周波マッサージシューズ。
【考案の詳細な説明】
【技術分野】
【０００１】
本考案は中または低周波マッサージシューズの設計に関するもので、それはコントローラおよびシューズから構成され、そのコントローラおよびシューズには組み合わせてボタンかけできる導電ボタンが設けられ、それらがボタンかけされるとコントローラの通電によってシューズには中または低周波の足部の励起マッサージ効果が達成されるものである。
【背景技術】
【０００２】
周知の靴は足に履かれて歩行することに供され、それは歩行の需要によってスリッパ、サンダル、運動靴、皮靴、登山靴またはレジャー靴等各種形態または外観の違う靴があるが、実質上、従来の靴にはより多くの選択性機能を提供するものが少なく、そのため履く以外の他の補助機能を持たない。また、周知の中には専門にマッサージのための靴があり、この種のマッサージシューズは靴の内面に直接複数個の突起粒または磁石を成型分布して圧触マッサージの効果を達成するが、このような足裏のつぼを圧触マッサージする方法は使用者に足裏が耐え切れなく痛く感じさせ、かつその効果も理想的とは言えない。
【考案の開示】
【考案が解決しようとする課題】
【０００３】
よって本考案の目的は、一挙に両足底のマッサージ効果を得ることができ、特定の足つぼマッサージの効果が得られる中または低周波マッサージシューズを提供することである。
【課題を解決するための手段】
【０００４】
上記課題を解決するための本考案の中または低周波マッサージシューズはコントローラおよびシューズが含まれ、その主要な構成はシューズの内壁上、下面に複数個の導電材が分布して設けられ、各導電材の一端はそれぞれ導電ボタンに接続され、他端は導電シートに接続され、前記複数個の導電ボタンは集中してシューズ面の選定された個所に設けられ、それはコントローラにボタンかけして中または低周波励起の足つぼマッサージの効果が得られ、他にシューズ内につぼ位置孔のある靴シートが設けられ、導電ピンの選定挿入に合わせて特定のつぼ位置マッサージの効果が得られるようにしてもよいものである。
【考案を実施するための最良の形態】
【０００５】
図１および図２に示すように、本考案の第一実施例による中または低周波励起マッサージシューズはコントローラ１０およびシューズ２０が含まれ、その中のコントローラ１０は、図３から図６に示すように、その主要な構成は内部に中枢ICが設けられ、ICによってパルスの波型が輸送され、インダクタンスおよびキャパシタンスは充放電して高圧電気が発生し、プログラムによってパルス幅を制御し（約１・・・１５０HZ）、それによって強、弱程度の違うマッサージの感覚が発生し、コントローラ１０には複数個のコントロールキー１１があり、それぞれ電流の増強（up）または減少（down）、コントロール時間の設定、電源の入れ切れ（on/off）およびマッサージモードの選択をコントロールし、そのコントローラ１０には液晶ディスプレー１２があって操作制御モードを表し、内部回路（図５および図６に示すように）を経て高圧パルスを提供し、それぞれ複数個の導電ボタン１３に接続されて出力端が構成され、またそのコントローラ１０の一側には通電区域を選択制御することができる区域スイッチ１４が設けられている。
【０００６】
シューズ２０は、それぞれ図７から図９に示すように、シューズの上、下内壁面にそれぞれ複数個の導電材１が分布して設置され、各導電材１はシューズ面２１の中間層に隠れて設けられ、かつそれの一端はそれぞれ導電ボタン２に接続され、各導電ボタン２は集中してシューズ面２１の選定された個所に設けられ、そのために集中して設置された導電ボタン２およびコントローラ１０に設けられている導電ボタン１３は組み合わされて対応し（図４に示す）、コントローラ１０はシューズ面２１に対応してボタンかけすることができ（図２に示す）、導電材１の他端はそれぞれ一組の正または負極の導電シート３に接続され、かつ各導電シート３はそれぞれ靴２０の内壁上、下面の選定された個所に設けられ、足つぼと貼り合わせられて接触する。
【０００７】
上記シューズ２０は平常は元来の履物の機能を維持しているが、靴面２１をコントローラ１０にボタンかけするとコントローラ１０のコントロールモードによって足つぼと貼り合わせられて接触している正、負極導電シート３は通電し、中または低周波の足つぼの励起マッサージの効果が得られる。
【０００８】
上記コントローラ１０は一つの靴に一つのコントローラ１０を結合させ、またはコントローラ１０に差込孔１５を設け加えて別の周辺装置と導通接続できるようにし、別の同じく導電材１および正、負導電シート３のあるその他類似の周辺装置にも導通後に励起マッサージの効果が発生するようにする。上記シューズは図１０または図１１に示す実施例を参照し、その一つの靴２０ａ（図１０に示す）または両方の靴２０ａ、２０ｂ（図１１に示す）に接続孔４および区域スイッチ５を設け加え（図１に示す形態）、接続孔４は各導電材１の一端の集中した接続に供されるので、接続導線６を直列または並列に連結して接続孔４およびコントローラ１０に設けられている差込孔１５の間を接続し（図３に示す形態）、それによって一つのコントローラ１０によって両方の靴２０ａ、２０ｂを同時に導電使用状態にし、両足のつぼにマッサージ効果を与えることができる。同じく、上記周辺装置の実施はシューズ２０ａだけに限らない。
【０００９】
上記コントローラ１０または別のシューズ２０ａ、２０ｂに設けられている区域スイッチ１４または５は回路のアレンジを通じ、切り替え時は一部または全部の正、負極導電シート３を選択して通電するよう通電区域を選択制御し、足裏の特定つぼに局部または全部の中または低周波の励起マッサージの効果を発生させる。この他、本考案に採用される導電材１は一般の電線を使用することができ、またはより柔らかい導電布を使用すれば履く時の気持ちよさを向上させることができる。
【００１０】
図１２に示すように、前記シューズ２０または２０ａ、２０ｂのシューズ面２１は上、下層の絶縁材２１１、２１２が合わせられて構成され、各導電材１は上、下層の絶縁材２１１、２１２の中に挟み隠れているが、各導電材１の一端はボタンの半分２ａ、２ｂを利用し、貫通リベットして完全な導電ボタン２を構成しているので、導電シート３はそれぞれシューズ２０または２０ａ、２０ｂの上または下の内壁面に隠れて設けられ、それの一端だけが導電ボタン２によって貫通リベットし、シューズ面２１から露出している。
【００１１】
図１３、図１４に示すように、前記シューズ２０（２０ａ、２０ｂ）の靴底面（すなわち下壁面）に実施する場合は靴底面に導電可能な区域を構成し、並びに靴底面に絶縁靴シート７を可動な状態に嵌め込みまたは固定して設け、かつその絶縁靴シート７に複数個のつぼ位置孔７１を設け、その一つまたは一つ以上隣接するつぼ位置孔７１は人体の足つぼの反射区（図１５に示す）によって若干小区域のつぼ挿入孔に区分けされ（図１４の区分け意表図に示す）、そのため更に一つまたは一つ以上の導電ピン８によって絶縁靴シート７の選定されたつぼ位置孔７１に挿入し、それが導電されて使用された場合は導電ピン８によって挿入分布されたつぼには特定の足つぼマッサージの効果が得られ、導電ピン８を挿入していない部分は導通していない状態になる。
【００１２】
図１６、図１７に示すように、上記導電ピン８は導電材から作られ、その上端は接触部８１であり、下端は栓柱部８２で、栓柱部８２は絶縁靴シート７のつぼ位置孔７１に沿って挿入されて導電シート３と導通接触するので、通電して使用された場合は上端の接触部８１と人体の足つぼ反射区との接触によって特定の足つぼマッサージの効果が得られる。この他、導電ピン８が便利に引き出せるため、導電ピン８の接触部８１の側辺には引き環８３が枢設され、引き環８３によって導電ピン８を簡単に引き出すことができ、かつ引き環８３は側辺へ折り畳められているので、足と接触した不快な感覚が避けられる。
【００１３】
また、上記導電ピン８の栓柱部８２の頭端は拡大部８２１であり、絶縁靴シート７のつぼ位置孔７１の底部には相対する縮小孔７１１が設けられているので、導電ピン８がつぼ位置孔７１に挿入されるとよりよい挟み持ちの定位置が形成され、導電ピン８が脱落しない状態が保持され、かつ良好な導電性が得られる。
【００１４】
本考案の主要目的は中または低周波励起マッサージシューズの設計を提供するもので、それはシューズの内壁上、下面に複数個の導電材が予め設けられ、各導電材の一端は導電ボタンに引き接がれ、各ボタンは集中してシューズ面の選定された個所に設けられ、各ボタンはコントローラの対応する導電ボタンと組み合わせてボタンかけすることができ、各導電材の他端はそれぞれ一組の正または負極の導電シートに接続され、かつ各正、負導電シートは足つぼに貼り合わせ接触するので、平常時、そのシューズには元来の履物としての機能があるが、シューズ面とコントローラとが結合されると、コントローラの操作制御モードによって選択された正、負導電シートは通電され、中または低周波の足部つぼの励起マッサージ効果が達成される。
【００１５】
本考案の次の目的は中または低周波励起マッサージシューズの設計を提供するもので、その選択された一つのシューズに接続孔が設けられ、その接続孔は各導電材の一端の集中した接続に供することができるので、接続導線を選択して接続孔とコントローラとの間を接続し、単一のコントローラによって同時に二つのシューズを通電使用状態に操作制御することができ、一挙に両足底のマッサージ効果を得ることができる。
【００１６】
本考案の更に一つの目的は中または低周波励起マッサージシューズの設計を提供するもので、それはシューズ下壁面に複数個のつぼ位置孔のある絶縁靴シートが嵌め込んで設けられ、一つまたは一つ以上の導電ピンによって絶縁靴シートの選択されたつぼ位置孔に挿入され、それが導電して使用された場合、導電ピンによって挿入分布されたつぼには特定の足つぼマッサージの効果が得られる。
【図面の簡単な説明】
【００１７】
【図１】本考案の第一実施例による中または低周波励起マッサージシューズを示す外観斜視図である。
【図２】本考案の第一実施例による中または低周波励起マッサージシューズにコントローラを結合した状態を示す外観斜視図である。
【図３】本考案の第一実施例による中または低周波励起マッサージシューズのコントローラを示す外観斜視図である。
【図４】本考案の第一実施例による中または低周波励起マッサージシューズのコントローラとシューズとがボタンかけした状態を示す断面図である。
【図５】本考案の第一実施例による中または低周波励起マッサージシューズのコントローラを示す概念図である。
【図６】本考案の第一実施例による中または低周波励起マッサージシューズのコントローラを示す回路図である。
【図７】本考案の第一実施例による中または低周波励起マッサージシューズの下壁面を示す正面図である。
【図８】本考案の第一実施例による中または低周波励起マッサージシューズを示す側面断面図である。
【図９】図８のＡ−Ａ断面図である。
【図１０】本考案の第一実施例による中または低周波励起マッサージシューズの接続導線で二つのシューズを直列接続した状態を示す外観斜視図である。
【図１１】本考案の第一実施例による中または低周波励起マッサージシューズの二本の接続導線で二つのシューズを並列接続した状態を示す外観斜視図である。
【図１２】本考案中の第一実施例による中または低周波励起マッサージシューズの導電シート、導電ボタンおよびシューズ面を示す分解斜視図である。
【図１３】本考案の第二実施例による中または低周波励起マッサージシューズに絶縁靴シートを設け加えた状態を示す外観斜視図である。
【図１４】図１３の実施例の絶縁靴シートを示す正面図である。
【図１５】従来の人体足部つぼの反射区を示す正面図である。
【図１６】図１３の実施例中の導電ピンが挿入され導通した状態を示す断面図である。
【図１７】図１３の実施例中の導電ピンがまだ挿入導通されていない状態を示す断面図である。
【符号の説明】
【００１８】
１０  コントローラ、２０、２０ａ、２０ｂ  シューズ、１１  コントロールキー、１２  液晶ディスプレー、１３  導電ボタン、１４、５  区域スイッチ、１  導電材、２  導電ボタン、２１  シューズ面、３  導電シート、４  接続孔、６  接続導線、１５  差込孔、２１１、２１２  上、下層絶縁材、２ａ、２ｂ  ボタンの半分、７  絶縁靴シート、７１  つぼ位置孔、８  導電ピン、８１  接触部、８２  栓柱部、８３  引き環、８２１  拡大部、７１１  縮小孔
【図１】
0003100831.tif 000003
【図２】
0003100831.tif 000004
【図３】
0003100831.tif 000005
【図４】
0003100831.tif 000006
【図５】
0003100831.tif 000007
【図６】
0003100831.tif 000008
【図７】
0003100831.tif 000009
【図８】
0003100831.tif 000010
【図９】
0003100831.tif 000011
【図１０】
0003100831.tif 000012
【図１１】
0003100831.tif 000013
【図１２】
0003100831.tif 000014
【図１３】
0003100831.tif 000015
【図１４】
0003100831.tif 000016
【図１５】
0003100831.tif 000017
【図１６】
0003100831.tif 000018
【図１７】
0003100831.tif 000019